(57)【要約】【課題】  不燃性又は難燃性の木材を材料として製作される家具や建具の提供。【解決手段】  不燃処理又は難燃処理された木材を木工機械にて加工することで、個々の部材を製作し、これら各部材を組み立てて家具や建具を製作する。【選択図】    図１
2019031060.tif 000002
【特許請求の範囲】
【請求項１】
不燃性又は難燃性の木材から成る家具又は建具において、該家具や建具を構成する個々の部材は前以て不燃処理又は難燃処理が施された木材を使って所定の寸法・形状に切断及び切削し、これら各部品を組み立てたことを特徴とする家具や建具。
【請求項２】
不燃性又は難燃性の木材は、生きている樹木の幹外周面には、地面に近い下端部に複数の穴を中心軸に向いて傾斜して設け、この穴には不燃剤又は難燃剤を注入し、穴に満ちた不燃剤又は難燃剤は幹に形成している複数の導管に沿って吸上げられることで、幹のほぼ全域に行きわたらせることで作られる請求項１記載の家具や建具。
【請求項３】
不燃処理又は難燃処理を施した木材を切断加工又は切削加工して家具や建具を構成する部材を製作する為の木工機械において、工具を取付けた主軸にヒータを設け、該工具を主軸から熱を伝導して加熱するようにしたことを特徴とする木工機械。
【発明の詳細な説明】
【技術分野】
【０００１】
本発明は不燃性又は難燃性の木材を用いて製作した建具や家具、及びこれらを製作する為の木工機械に関するものである。
【背景技術】
【０００２】
木材は日本の住宅を建てる場合の主な材料であり、住宅の骨組みとなる柱や梁はもちろんのこと、床材並びに天井材も木製としている。また住宅内に備えられる各種家具（例えばタンス、テーブル、机など）にしても木製が殆どである。
木材は軽くて扱い易く、また加工し易いという特性を持っている。
更に、木材は断熱性、遮音性、電気絶縁性が優れ、調湿作用を併せもっているので、特に、日本の建築材料並びに建具や家具の材料として不可欠である。
【０００３】
一方、住宅が建てられる地盤は水分の多い畑地や水田を整地したものも多く、また、台所やトイレ等の水まわりのように、長期間に亘り多湿状態を保たれていると、木材は腐敗したり、カビが発生する。また白蟻等の食害に逢い住宅の強度低下をもたらすことも多い。
更には、木材は燃え易いので住宅並びに建具や家具に用いると火災に弱い等の課題はある。
【０００４】
特開平８−２０７０１６号に係る「シリカ含浸木材及び製造方法」は、 強度が高く、防腐、防虫、防蟻、防カビ性及び難燃性のある建築木材を対象としている。そこで、乾燥した木材が接合しないように介物を挟んでひもで結び、含浸室内に入れて密封する。コックを操作して含浸室内を減圧して木材の木材組織の空洞内を減圧する。次に、減圧された含浸室内の木材に容器内の含浸溶液（シリカ微粒子のコロイド溶液にホウ素化合物を混合したコロイド溶液）を浸してから含浸室を常圧に戻して木材組織内に含浸液を含浸する。その後、木材を取り出し６０℃以下で乾燥する。
【０００５】
ところで、木材を含浸室に収容し、含浸溶液であるシリカ微粒子のコロイド溶液にホウ素化合物を混合したコロイド溶液を木材組織の空洞内に含浸することが出来る。したがって、不燃性で、防腐性、防虫性、防蟻性、防カビ性を備えた木材を作ることが可能となる。
しかし、このような不燃処理を施した木材は木工機械で、所定の寸法に切断加工したり切削加工することは容易でない。すなわち、工具の切れ刃に不燃剤又は難燃剤を含んだ木のクズが固着することで、切削性が損なわれる。
そこで、組み立てることが出来る寸法に前以て加工した個々の部材の状態で不燃処理をすることが求められ、作業性は悪くなって非常に面倒である。
【０００６】
特開２００１−３０３０６０号に係る「難燃剤及びその難燃剤を含浸させた建築用木質部材」は、木質部材に不燃剤或いは難燃剤を含浸させることにより、火災に対して有効な不燃化或いは難燃化の建築用木質部材を得ることであり、また上記不燃剤、難燃剤として発煙を抑え、残炎を少なくし、且つ有害物質の発生を無くした薬剤である。
すなわち、リン酸と尿素の縮合物の水溶液をアンモニア水にてｐＨを調整し、硼酸アンモニウム、スルファミン酸アンモニウムを加えて構成している。
【０００７】
特開２００４−１０６２９４号に係る「難燃剤及びその難燃剤を含浸させた建築用木質部材」は、火災に際しての発煙を抑え、残炎を極めて少なくし、かつ有害物質の発生をなくした不燃化或いは難燃化の建築用木質部材を得ることのできる不燃剤或いは難燃剤を含浸・塗布した建築用木質部材である。
すなわち、火災に対して有効な不燃化或いは難燃化の建築用木質部材を実現するために、シラスの上澄み液にホウ酸および硼砂を加えた難燃剤を作製し、それを木材に加圧注入させる。
【０００８】
上記のように、不燃処理を施した木材は従来の木工機械で、所定の寸法に切断加工したり切削加工することは容易でないことから、不燃処理される材料は建物を構成する柱や板材に限られている。家具や建具などの細かい部材ともなれば、不燃処理された状態でそのまま組み立てることは困難である。すなわち、不燃処理することで寸法・形状が変化し、多少なりの修正加工が必要となる。
【０００９】
【特許文献１】特開平８−２０７０１６号に係る「シリカ含浸木材及び製造方法」
【特許文献２】特開２００１−３０３０６０号に係る「難燃剤及びその難燃剤を含浸させた建築用木質部材」
【特許文献３】特開２００４−１０６２９４号に係る「難燃剤及びその難燃剤を含浸させた建築用木質部材」
【発明の開示】
【発明が解決しようとする課題】
【００１０】
このように、木材を不燃化する為にはホウ酸などの難燃剤を木材に含浸して製作される。そこで、含浸する為の設備が必要と成り、処理された不燃材のコストは必然的に高くなる。また、不燃材は従来の木工機械にて切断加工及び切削加工することが困難である。
本発明が解決しようとする課題はこの問題点であり、大きな設備を必要とすることなく、不燃処理又は難燃処理した木材を加工して製作される家具及び建具を提供する。そして、これら家具や建具を加工する際に使用する木工機械を提供する。
【課題を解決するための手段】
【００１１】
本発明に係る家具及び建具は不燃性又は難燃性の木材を使用して製作される。この場合、家具や建具を構成する個々の部材は、一般に所定の形状に加工した最終段階で不燃処理又は難燃処理されるのではなく、不燃処理又は難燃処理された大きな木材を切断や切削して作られる。その為に、不燃性又は難燃性木材を加工することが出来る特別な木工機械が使われる。
一口に家具や建具といってもその種類は無数に存在するが、本発明は家具や建具の種類に関しては特に限定しない。
【００１２】
ところで、不燃処理又は難燃処理の方法としては、浴槽（含浸室）に大きな木材を沈めて不燃剤又は難燃剤を含浸することが出来る。また、山に生きている立樹の段階で不燃剤又は難燃剤を含浸する。
すなわち、立樹の根元部外周に細い穴を中心軸に向いて設け、この穴に上記不燃剤又は難燃剤を注入することで、樹木は生きている為に根から吸上げた水や養分とともに注入した不燃剤又は難燃剤を吸上げることが出来る。
【００１３】
一方、本発明の木工機械は不燃木材や難燃木材であっても、一般的な木材と同じように扱うことが出来、すなわち、切断加工し易いように、また、切削加工し易いように切断刃や切削刃は加熱されている。切断刃や切削刃を直接加熱することは出来ない為に、これら切断刃や切削刃（工具）を取着している主軸の内部にヒータを収容するならば、主軸からの熱伝導にて上記切断刃や切削刃は熱くなる。
【発明の効果】
【００１４】
本発明の家具及び建具は不燃木材や難燃木材を用いて製作されている。その為に、何らかの原因で出火しても家具や建具が燃えることは抑制され、家の火災を極力抑える効果がある。
建物本体から直接出火することは殆どなく、一般的には建物内に配置している器具から出火する為に、家具や建具が燃え難いことで、建物の火災を抑制する効果は大きい。
そして、本発明の木工機械は不燃材や難燃材であっても、一般的な木材と同じように切断加工又は切削加工することが出来る為に、個々の部材を加工して家具や建具を比較的効率よく製作することが出来る。
【図面の簡単な説明】
【００１５】
【図１】不燃材料で製作したテーブル。
【図２】不燃材料を加工する木工機械の具体例。
【図３】円盤カッターを取付けている主軸にヒータを収容した具体例。
【図４】樹木の幹下端部に複数の穴を設けた場合。
【図５】幹の設けた穴に不燃材を入れたビンの口を嵌めて取付けている場合。
【発明を実施するための形態】
【００１６】
図１は家具の１つである一般的なテーブルを示す具体例であり、該テーブルは天板１と該天板１を支える４本の脚２，２・・・から成っている。
ところで、該テーブルは不燃材又は難燃材を用いて組み立てられ、その為に部屋に配置したテーブルは家が火災に成っても直ちに燃焼することはない。その為に、家本体まで燃焼するには時間がかかり、住んでいる人の命が助かるケースは大きくなる。
【００１７】
部屋に配置される家具は幾つもあり、また建具を構成する部材も不燃材又は難燃材を用いて製作することで、火災を抑制する効果は大きい。不燃処理又は難燃処理した木材は従来から知られているが、従来の技術では、例えば図１に示すテーブルを不燃材又は難燃材で構成する場合、組み立て段階の天板１及び脚２，２・・・に切断加工及び切削加工したそれぞれの部材の状態で処理される。
したがって、不燃などの処理後に加工を施すことはなく、単に組立てるだけの作業となる。
【００１８】
しかし、不燃などの処理を施す場合、不燃剤を入れた含浸槽に加工した部材を浸す訳で、不燃剤が含浸された天板１や脚２，２・・・は組立て前に十分乾燥しなくてはならない。天板１及び脚２，２・・・は、乾燥した原木を製材した木材を所定の寸法に切断及び切削して製作されるが、このように個々の形状を有す部材として加工したもの含浸槽に入れて不燃処理をする場合、その作業性は非常に悪い。しかも、不燃剤を入れた液に浸し、その後、乾燥するならば、天板１や脚２，２・・・は再び変形し、そのまま組み立てることが出来ない。
【００１９】
そこで、本発明では上記天板１及び脚２，２・・・となる木材の状態で不燃処理又は難燃処理を施し、このように処理された木材を所定寸法の天板１及び脚２，２・・・に加工する。不燃などの処理が施された木材はその後十分に乾燥された後で天板１及び脚２，２・・・に加工される為に、加工された天板１及び脚２，２・・・を用いて直ちにテーブルに組み立てられる。
【００２０】
図２は本発明の木工機械の具体例であり、同図の３は円盤カッター、４はテーブルを表し、不燃処理が施された木材はテーブル４の上に置かれて高速回転する円盤カッター３によって所定の寸法に切断される。ここで、上記円盤カッター３は加熱されて高温に保たれている。円盤カッター３にヒータを直接取付けて加熱することは出来ない為に、円盤カッター３を取付けている主軸５を加熱している。
【００２１】
図３に示すように、上記円盤カッター３を取着している主軸５の中心軸部に設けた空間６にヒータ７を収容し、このヒータ７にて主軸５を加熱し、加熱された主軸５の熱は円盤カッター３に伝導して高温になる。
このように、円盤カッター３が加熱されて高温に成るならば、不燃剤が含浸された木材のクズが円盤カッター３に固着することはなく、木材は該円盤カッター３にてスムーズに切断される。
【００２２】
すなわち、不燃処理が施されていない普通の木材を切断する場合と同じように切断することが可能である。したがって、該円盤カッター３にて所定の寸法に切断された天板１や脚２，２・・・は、その後、表面が綺麗に切削されて組立てることが出来る。表面を奇麗に切削することが出来る切削用木工機械の場合も、切刃（工具）は同じように加熱されて高温に保たれている。
【００２３】
本発明はあらゆる木工機械を対象とし、取付けられる工具を加熱することで不燃剤を含んだ木のクズが固着することはなく、不燃処理が施された木材は一般の木材と同じように加工することが可能となる。
ところで、不燃処理が施される木材は、製材された物を含浸槽に浸すことで行うことが一般的であるが、樹木の状態で不燃剤を含浸することも可能である。
【００２４】
図４は難燃性木材の生育方法を示す実施例であり、樹木８の下端部には複数の穴９ａ，９ａ・・・、９ｂ，９ｂ・・・を設けている。これら穴９ａ，９ａ・・・、９ｂ，９ｂ・・・は地面１０に近い幹１１の下端部に設けられ、上記穴９ａ，９ａ・・・は地面１０からの高さＡの位置とし、その間隔（ピッチ）はａと成っている。また穴９ｂ、９ｂ・・・は地面からの高さＢの位置とし、その間隔（ピッチ）はｂと成っている。
【００２５】
すなわち、穴９ａ，９ａ・・・は幹１１の外周面１２に沿って、ピッチａをもって全周に亘って設けられ、穴９ｂ，９ｂ・・・は幹１１の外周面１２に沿って、ピッチｂをもって全周に亘って設けられる。そして、これら各穴９ａ，９ａ・・・、９ｂ，９ｂ・・・は下方へ傾斜すると共に幹１１の中心軸に向いて延びている。
ここで、該穴９ａ，９ａ・・・、９ｂ，９ｂ・・・の大きさ、並びに個数に関しては特に限定せず、幹１１の太さに応じて定めることが出来る。
【００２６】
ところで、これら各穴９ａ，９ａ・・・、９ｂ，９ｂ・・・には不燃剤又は難燃剤が注入され、注入された不燃剤又は難燃剤は幹１１に形成されている無数の道管に沿って上方へ吸上げられる。
図５は上記穴９ａに不燃剤１３を詰めたビン１４の口１５を差し込んで取付けた状態を表している。ビン１４はその口１５が下方になるように穴９ａは中心軸側へ傾斜している。
【００２７】
そこで、ビン１４に収容されている不燃剤１３は口１５から流れ出し、穴９ａは該不燃剤１３で一杯になる。幹１１には無数の道管が連続して延びており、その為に穴９ａに満たされた不燃剤１３は道管を通って上方へ吸上げられ、幹１１のほぼ全域に不燃剤１３が行きわたる。
ビン１４の不燃剤１３が空になると、傾斜した穴９ａに注入された不燃剤１３は中心軸部のみとなって幹１１の外周部には不燃剤１３が無い状態となる。したがって、幹１１の外周部に不燃剤１３が浸透しないことになる為に、このような事態を招かないようにビン１４が空にならないように注意しなくてはならない。
【００２８】
上記穴９ａ，９ａ・・・は一定ピッチａにて幹１１の全周に設けられ、同じく穴９ｂ，９ｂ・・・も一定ピッチｂにて幹１１の全周に設けられている。
ここで、上記穴９ａと穴９ｂとの位置関係は同じではなく、半ピッチ分ズラしていて、穴９ａ，９ａの中間位置に穴９ｂを設けている。すなわち、同じ道管上に穴９ａと穴９ｂが位置しないようにしており、円周方向に１／２ピッチ位置ズレすることで、より多くの穴９ａ，９ａ・・・、９ｂ，９ｂ・・・を設けることが可能となる。
【００２９】
勿論、同じ高さに穴９ａ，９ａ・・・と穴９ｂ，９ｂ・・・を設けるならば、幹１１の強度が低下して、強い風が吹いた際には倒れる可能性が高くなる。
ここで、本発明にて使用される上記不燃剤又は難燃剤とし、その種類に関しては限定しないが、一般的にはホウ酸が適している。該ホウ酸を適度な濃度に溶かした液をビン１４に詰めて使用することが出来る。
【００３０】
ところで、上記実施例では穴９ａに不燃剤を入れたビン１４の口を差し込んでいるが、必ずしもビン１４に限定するものではなく、他の容器を使用することも出来る。また、ビンなどの容器を用いることなく穴９ａに不燃剤を流し込むことも可能である。
【符号の説明】
【００３１】
１   天板
２   脚
３   円盤カッター
４   テーブル
５   主軸
６   空間
７   ヒータ
８   樹木
９   穴
10   地面
11   幹
12   外周面
13   不燃剤
14   ビン
15   口
【図１】
2019031060.tif 000003
【図２】
2019031060.tif 000004
【図３】
2019031060.tif 000005
【図４】
2019031060.tif 000006
【図５】
2019031060.tif 000007